(57)【特許請求の範囲】
【請求項１】
護岸面に縦杭（２）を間隔置きに打ち込み、間伐材（１）を割ぐり石（４）が通らない程度の間隔（Ｓ）を設けて前記縦杭（２）の高さ方向内側と外側に交互位相に留金具（３）を介して固定すると共に護岸控面に割ぐり石（４）を敷き詰めて成る小動物定着用間伐材横積型護岸構造。
【請求項２】
間伐材（１）が、連結金具（７）で数本を横組み固定してユニット（Ｕ）を形成して成る請求項１の小動物定着用間伐材横積型護岸構造。
【請求項３】
縦杭（２）の上部（２ａ）をアンカ−（５）を介して護岸控側に牽引支持して成る請求項１又は２の小動物定着用間伐材横積型護岸構造。
【請求項４】
縦杭（２）を二本並列重合させ、両縦杭（２）の裏側延長方向でお互いに交わる直径方向に貫通孔（８）を設けてそれぞれの貫通孔（８）にアンカ−（５）の二股状先端部（５ａ）を貫挿して表面側で各締結して成る請求項３の小動物定着用間伐材横積型護岸構造。
【発明の詳細な説明】
【０００１】
【発明の属する技術分野】
本発明は、岸辺の崩壊を防止するとともに自然にマッチした景観が得られ、また水質が改善され水棲小動物が好んで定着できる棲み家となり、また縦に打込んだ丸太に腐食破損が起こっても容易には倒壊しない間伐材利用の木質系護岸構造に関する。
【０００２】
【従来の技術】
栃木県は今市、鹿沼、粟野、烏山等林業が大変盛んで、杉、檜等の間抜材が多量に発生している。それらの間抜材は建築材としては価値が低く、別用途の開拓が摸索されている。
本発明者は、間抜材を土木工事に利用すべく鋭意研究を重ね、地元栃木県には広大な日光国立公園を擁し、近年特に景観の維持保全も強く求められていることを意識し、自然のものである間抜材の丸太をできるだけ生かして利用することができる土木工事用の構造体を研究開発してきた。
【０００３】
それらの中で特に、河川の護岸については、通常ではコンクリ−ト地肌がそのまま露出した形態のものが多く、自然景観については考慮が充分なされているとは言いがたい実態となっている。
さらに、自然の水場の中にあって河川等がコンクリ−ト護岸の増加によって岸辺水中植物が排除され自然の浄化作用が失われることにより水質悪化し、また水辺の棲み家となる岩石穴蔵が消滅し生物定着条件が損われ、小魚、水生昆虫、貝類、両生類、爬虫類、等の小動物が激減した。そのため、それらの小動物を餌とする貴重な猛禽類など保護鳥類や山猫、カワウソなど哺乳類等の近い将来の絶滅が予想されている。
【０００４】
そこで、一部コンクリ−ト地肌に凹凸を設けたり、既に完成しているコンクリ−ト護岸を破壊改修して部分的に石組に換えたり流れの水際に樹木や植物を植込んだりする対策が各所になされている。しかし、まだ部分的且つ応急的なものなのである上に、小動物を積極的に増加させようとする構造的な技術内容を殆ど有してないので充分には成果を得られてはいない。
【０００５】
【発明が解決しようとする課題】
本発明は上記実情に鑑みてなされたもので、主として今まで利用価値のなかった間抜材を利用し、自然の木肌を積極的に化粧面にして自然景観に配慮しつつ、水辺の小動物が好んで定着できる条件を備え、また縦に打込んだ丸太に腐食破損が起こっても容易には倒れない護岸構造を提供するものである。
【０００６】
【課題を解決するための手段】
上記課題を解決するために、本発明は、護岸面に縦杭２を間隔置きに打ち込み、間伐材１を割ぐり石４が通らない程度の間隔Ｓを設けて前記縦杭２の高さ方向内側と外側に交互位相に留金具３を介して固定すると共に護岸控面に割ぐり石４を敷き詰めて成る小動物定着用間伐材横積型護岸構造である。
【０００７】
また、前記間伐材１が、連結金具７で数本を横組み固定してユニットＵを形成して成るものである。
【０００８】
さらに前記縦杭２の上部２ａをアンカ−５を介して護岸控側に牽引支持して成るものである。
【０００９】
そして前記縦杭２を二本並列重合させ、両縦杭２の裏側延長方向でお互いに交わる直径方向に貫通孔８を設けてそれぞれの貫通孔８にアンカ−５の二股状先端部５ａを貫挿して表面側で各締結して成るものである。
【００１０】
【発明の実施の形態】
本発明の護岸構造の実施の形態を以下図面で説明する。
本発明は、図２に示すように、護岸面にボルト孔９を設けた縦杭２を１．５ｍの間隔置きに打ち込む。そして、間伐材１に前記縦杭２のボルト孔９に対応するボルト孔１０を設け、それらの間伐材１を割ぐり石４が通らない程度の間隔Ｓを設けて前記縦杭２の高さ方向内側と外側に交互位相にボルト３ａ等の留金具３を介して固定する。
前記割ぐり石４の大きさは普通１５〜２０ｃｍ程度であるので、前記間隔Ｓを径が１０〜１５ｃｍ程度の丸太を用いた場合には間伐材の１本分の間隔を開ければ良い。
そして、図１に示すように、間伐材１背部の護岸控面に土砂Ｄとの間に割ぐり石４を敷き詰める。そして、土砂Ｄと割ぐり石４の間に小石６を入れて土砂Ｄが直接的に割ぐり石４間の大きな隙間に入らずに小さな隙間に止まるようにする。この小石６を入れた方が護岸土砂Ｄが崩れにくくなるので好ましい。
【００１１】
前記間伐材１は、図３に示すように、あらかじめ連結金具７で３本（２〜４本が好ましい）の間伐材１を横組み固定してユニットＵを形成し、図１に示すように、そのユニットＵ間に間隔Ｓを設けて縦杭２に高さ方向内側と外側に交互位相に留金具３を介して固定することができる。
【００１２】
前記ユニットＵは、図３に示すように、３ｍに切断した杉の丸太間伐材１の三本をそれぞれその中心を基準に上下方向に５ｃｍ幅で上下に水平面を形成し、両端部を切り揃え１０ｃｍ幅単体の間伐材１を三本組み合せた状態で金属板をボルト留めする連結金具７で固定する。そして各間伐材１の両端部に縦杭２にボルト固定するボルト孔１０をそれぞれ設ける。
こうしてできた長さ３ｍ幅３０ｃｍのユニットＵをあらかじめ必要枚数分製作しておく。
【００１３】
そして、図２に示すように、前記縦杭２の上部２ａを、岸土中に埋設したアンカ−５を介して護岸控側に牽引支持する形態が可能である。そのアンカ−５の中間にタ−ンバックル１１を設けると牽引支持の調節ができる。
前記アンカ−５には、線状、板状、棒状等の各種形態あり、その先端には抜けにくくするためにアンカ−留部を設け、そのアンカ−留部を丸太等の埋設杭に巻きつけて留めると良い。
【００１４】
そして、図４に示すように、前記縦杭２を二本並列重合させ、両縦杭２の裏側延長方向でお互いに交わる直径方向に貫通孔８を設けてそれぞれの貫通孔８にアンカ−５の二股状先端部５ａを貫挿して表面側で各締結して成るものである。
【００１５】
上記ユニットＵを用いない場合には、間伐材１を一本づつ重ね合せて縦杭２に密接させてボルト３ａ等の留金具３で固定しつつ積み上げる。
【００１６】
【発明の作用並びに効果】
本発明は上記構成であり、従来の構造ではコンクリ−ト製が多く、持つている材質の外観によって自然景観が損われ、また、人間を含め小動物や各種生物を寄せつけない構造をしていたのに対して、本発明では、間伐材１の木肌をそのままにすれば景観を損うことなく周囲の自然に溶け込むと共に木材特有の存在感のある護岸構造となる。
そして間伐材１間に積極的に間隔Ｓを設け、その背後に割ぐり石４を埋設することによって割ぐり石４が護岸土砂Ｄの河川内への崩れ込み防ぐとともに水辺の小魚、水生昆虫、貝類の小動物の棲み家としての隙間を多数形成する。そして、それら水棲小動物が割ぐり石４の隙間に餌となる植物、藻類、微生物等を求めて定着繁殖し、それらの小動物を餌とするカエルなど両生類や蛇などの爬虫類等が増加し、それを餌とする猛禽類などの鳥類や山猫、カワウソなど哺乳類等が繁殖することができるようになる。
【００１７】
またその間伐材の隙間に流れ込んだ水は、有機栄養物質が土砂に吸着され草木の栄養源となり、また土砂中の微生物などで分解されて水質浄化される。
このため汚れた河川から遠ざかっていた人々が綺麗な水質の河川に親しみ易くなり、また、たとえ水中に落ちても隙間に手足を掛けることができるので水辺に安心して近付くことができる。
また、間伐材１を数本重合してユニットＵとするものでは、木材数本がバラバラではなく、板状の一体物として一度に広い面積を施工することができることによって高能率で簡単且つ確実に土留を形成することが可能となる。
さらに、前記アンカ−５で縦杭２の上部２ａを岸側に牽引支持することによって容易には倒れない強固に護岸構造が得られる。
【００１８】
本発明によって、河川での小動物の保護繁殖を促すと共に観光地の自然景観を守り、全国各地の大量に発生する杉、檜等の間抜材の利用分野が広がり各地の地場産業の発展にも大きく寄与することが期待される。
【図面の簡単な説明】
【図１】本発明の斜視図。
【図２】本発明の縦断側面図。
【図３】ユニットの斜視図。
【図４】縦杭とアンカ−の繋ぎ要部を示す平面図。
【符号の説明】
１    間伐材
２    縦杭
２ａ  縦杭の上部
３    留金具
３ａ  ボルト
４    割ぐり石
５    アンカ−
５ａ  アンカ−の二股状先端部
６    小石
７    連結金具
８    貫通孔
９    ボルト孔
１０    ボルト孔
１１    タ−ンバックル
Ｕ    ユニット
Ｓ    間隔
Ｄ    土砂
【図１】
0003748641.tif 000002
【図２】
0003748641.tif 000003
【図３】
0003748641.tif 000004
【図４】
0003748641.tif 000005